(57)【要約】  デジタル画像（３１０）を取り込む際のストロボ（１２０）の使用が差し迫っていると確定されると、虹彩色情報を導出することができるプリキャプチャ画像（２０５）を保存することができる。プリキャプチャ画像（３１０）から導出される虹彩色情報を使用して、取り込まれたデジタル画像（３１０）の赤目補正を向上させることができる。【特許請求の範囲】
【請求項１】
シーンのデジタル画像（３１０）の赤目効果を補正する方法であって、
前記デジタル画像（３１０）を取り込む際のストロボ（１２０）の使用が差し迫っていると確定することと、
前記シーンのプリキャプチャ画像（２０５）を自動で保存することであって、前記プリキャプチャ画像（２０５）は前記デジタル画像（３１０）の前に取り込まれる、保存することと、
前記デジタル画像（３１０）の赤目補正に、前記プリキャプチャ画像（２０５）から導出される虹彩色情報を組み込むこととを含むことを特徴とする方法。
【請求項２】
前記シーンの前記プリキャプチャ画像（２０５）を自動的に保存することは、前記デジタル画像（３１０）が取り込まれる前に、前記シーンにおいて少なくとも一つの人間の顔が検出されることを条件とすることを特徴とする請求項１に記載の方法。
【請求項３】
前記デジタル画像（３１０）の赤目補正に、前記プリキャプチャ画像（２０５）から導出される虹彩色情報を組み込むことは、前記プリキャプチャ画像（２０５）から虹彩色（２１５）を取得することを含むことを特徴とする請求項１に記載の方法。
【請求項４】
前記虹彩色（２１５）の輝度は、前記プリキャプチャ画像（２０５）と前記デジタル画像（３１０）との間の平均輝度の比較に従って調整されることを特徴とする請求項１に記載の方法。
【請求項５】
前記デジタル画像（３１０）の赤目補正に、前記プリキャプチャ画像（２０５）から導出される虹彩色情報を組み込むことは、前記プリキャプチャ画像（２０５）と前記デジタル画像（３１０）との間の平均輝度の比較に従って所定の虹彩色（２１５）の輝度を調整することを含むことを特徴とする請求項１に記載の方法。
【請求項６】
シーンのデジタル画像（３１０）の赤目効果を補正する方法であって、
第１の装置（１００）によって取り込まれるデジタル画像（３１０）を取得することであって、前記デジタル画像（３１０）は付随するプリキャプチャ画像データを有し、前記付随するプリキャプチャ画像データは、前記デジタル画像（３１０）を取り込む前に、前記デジタル画像（３１０）を取り込む際に前記第１の装置（１００）によるストロボ（１２０）の使用が差し迫っていることに応じて前記第１の装置（１００）によって自動的に保存されている、デジタル画像（３１０）を取得することと、
第２の装置（５００）による前記デジタル画像（３１０）の赤目補正に、前記付随するプリキャプチャ画像データから導出される虹彩色情報を組み込むこととを含むことを特徴とする方法。
【請求項７】
デジタル撮像装置（１００）であって、
光学画像を生成する光学系（１４０）と、
シャッタボタン（１３０）と、
前記シャッタボタン（１３０）が起動されると、前記光学画像をデジタル画像（３１０）に変換する撮像モジュール（１１５）と、
ストロボ（１２０）と、
前記シャッタボタン（１３０）が起動されていると共に前記ストロボ（１２０）の使用が差し迫っている時、プリキャプチャ画像（２０５）を自動的に保存するように構成される制御ロジック（１５５）と、
前記デジタル画像（３１０）の赤目補正に、前記プリキャプチャ画像（２０５）から導出される虹彩色情報を組み込むように構成される赤目補正ロジック（１６０）とを具備することを特徴とするデジタル撮像装置。
【請求項８】
電子装置（５００）であって、
デジタル撮像装置（１００）によって取り込まれるデジタル画像（３１０）を格納するメモリ（５２５）であって、前記デジタル画像（３１０）は付随するプリキャプチャ画像データを有し、前記付随するプリキャプチャ画像データは、前記デジタル画像（３１０）を取り込む前に、前記デジタル画像（３１０）を取り込む際に前記デジタル撮像装置（１００）によるストロボ（１２０）の使用が差し迫っていることに応じて前記デジタル撮像装置（１００）によって自動的に保存されている、メモリと、
前記デジタル画像（３１０）の赤目補正に、前記付随するプリキャプチャ画像データから導出される虹彩色情報を組込むように構成される赤目補正ロジック（５４０）とを具備することを特徴とする電子装置。
【発明の詳細な説明】
【技術分野】
【０００１】
本発明は、包括的にはデジタル写真に関し、特に、ストロボを使用して取り込まれるデジタル画像における赤目効果を補正する技法に関する。
【背景技術】
【０００２】
フラッシュ写真において広く浸透している問題は、カメラ搭載フラッシュが被写体の眼の奥に反射することにより、被写体の眼が赤く見えるようになる、いわゆる「赤目効果」である。問題は、多くのデジタル写真編集アプリケーションが自動又は手動の赤目補正機能を含むほど一般的である。デジタルカメラによっては、カメラ内蔵自動赤目補正を実行することも可能である。
【０００３】
自動赤目補正は、赤目効果が現れる画像の部分の位置を特定すること、及び影響を受けた各々の眼の虹彩の赤色画素を所定の色（たとえば黒）の画素に置き換えることを含む。結果は、元の「赤目」は改善されるが、見る人には依然として自然に見えない場合もあり、それは、補正プロセスにおいて、補正された各々の眼の真の虹彩色が考慮されないためである。
【０００４】
このため、当該技術分野において、デジタル画像の赤目補正に虹彩色を組み込む、改良された方法及び装置が必要とされていることが明らかである。
【発明の開示】
【０００５】
赤目補正は、基本デジタル画像を取り込む際のストロボの使用が差し迫っていることを検出し、基本デジタル画像が取り込まれる前にストロボなしに（又は低輝度ストロボで）プリキャプチャ画像を取り込んで保存し、そのプリキャプチャ画像から導出される虹彩色情報を後の基本デジタル画像の赤目補正に組み込むことによって改善することができる。任意に、基本デジタル画像を取り込むデジタル撮像装置のライブプレビューモード中に、シーンにおいて少なくとも一人の人間の顔が検出される場合にのみ、プリキャプチャ画像を取り込み保存してもよい。
【０００６】
プリキャプチャ画像（又は別法として、プリキャプチャ画像から導出される虹彩色及び関連する位置指標）を、単一のデジタル画像ファイルに基本デジタル画像と共に格納することができる。別法として、プリキャプチャ画像を基本デジタル画像と別個に格納してもよい。プリキャプチャ画像から導出される虹彩色情報を組み込む赤目補正を、基本デジタル画像を取り込んだデジタル撮像装置が行ってもよく、又はデジタル画像ファイルが転送された別個の装置（たとえばパーソナルコンピュータ）が行ってもよい。任意に、虹彩色の輝度を、プリキャプチャ画像と基本デジタル画像との間の平均輝度の比較に従って調整してもよい。
【発明を実施するための最良の形態】
【０００７】
図１Ａは、本発明の例示的な実施形態によるデジタル撮像装置１００の機能ブロック図である。デジタル撮像装置は、デジタルカメラ、デジタルカムコーダ、若しくはデジタルカメラ機能を内蔵した携帯情報端末（ＰＤＡ）又は無線電話等、デジタル画像を取り込んで格納することができる任意の装置であってもよい。図１Ａにおいて、コントローラ１０５は、データバス１１０を介して撮像モジュール１１５、ストロボ１２０、ディスプレイ１２５、シャッタボタン１３０及びメモリ１３５と通信する。光学系１４０は、撮像モジュール１１５によってデジタル画像に変換される光学画像を生成する。コントローラ１０５は、たとえばマイクロプロセッサ又はマイクロコントローラを含んでもよい。撮像モジュール１１５は、電荷結合素子（ＣＣＤ）、ＣＭＯＳ又は他の撮像センサ技術に基づくフォトセンサのアレイと、アナログ・デジタル変換器（Ａ／Ｄ）と、利得制御と、デジタル信号プロセッサ（ＤＳＰ）（図１Ａには図示せず）とを備えてもよい。ディスプレイ１２５は、たとえば液晶ディスプレイ（ＬＣＤ）を含んでもよい。シャッタボタン１３０は、３つの別個の位置を有してもよく、すなわち、「Ｓ０」（押下されない）、「Ｓ１」（画像を取り込むためにデジタル撮像装置１００を準備する中間位置まで押下）及び「Ｓ２」（画像取込みを開始する完全押下位置）である。デジタル撮像装置１００は、図１Ａには示さないナビゲーションボタン及びメニュー／「ＯＫ」ボタン等の他の入力コントロールを有してもよい。
【０００８】
図１Ｂは、本発明の例示的な実施形態によるデジタルカメラ１００のメモリ１３５の高レベル図である。概して、メモリ１３５は、ランダムアクセスメモリ（ＲＡＭ）１４５と不揮発性メモリ１５０とを共に含んでもよく、それらは、取外し可能な種類のものであってもよい（たとえば、セキュアデジタル又はマルチメディアメモリカード）。メモリ１３５は、制御ロジック１５５及び赤目補正ロジック１６０をさらに有してもよい。
【０００９】
制御ロジック１５５は、ストロボの使用が差し迫っており且つシャッタボタン１３０がＳ２まで押下される時、画像取込み、特にプリキャプチャ画像の取込み及び格納を制御してもよい。任意に、制御ロジック１５５を、デジタル撮像装置１００のライブプレビューモード中にシーンにおける１つ又は複数の人間の顔の存在を検出し、少なくとも一人の人間の顔が検出される場合にのみプリキャプチャ画像を取り込んで保存するように構成してもよい。ライブプレビューモード中にリアルタイム顔検出をいかに実行し得るかの一例は、係属中の米国特許出願第０９／９９２，７９５号に記載されており、それは、コンパック・コンピュータ・コーポレーション（現在はヒューレット・パッカードカンパニーと合併）に譲渡されており、その開示内容は参照により本明細書に援用される。
【００１０】
赤目補正ロジック１６０は、デジタル画像における１つ又は複数の赤目領域を識別し、それら赤目領域に対し自動赤目補正を実行することにより補正されたデジタル画像を生成する。自動赤目検出及び除去技法は、デジタル画像処理技術において既知である。例には、米国特許第６，２７８，４９１号及び係属中の米国特許出願第１０／６５３，０１９号があり、それらは共にヒューレット・パッカードカンパニーに譲渡されており、それらの開示内容は参照により本明細書に援用される。本質的に、赤目除去には、デジタル画像に赤目効果が発生した場合に赤色画素をより適当な色の画素に置き換えることが含まれる。赤目補正ロジック１６０を、プリキャプチャ画像から導出される虹彩色情報を組み込むように構成してもよい。
【００１１】
制御ロジック１５５及び赤目補正ロジック１６０を、ソフトウェア、ファームウェア、ハードウェア又はそれらの任意の組合せとして実装してもよい。１つの例示的な実施形態では、制御ロジック１５５及び赤目補正ロジック１６０は、コントローラ１０５によって実行されるファームウェアに存在する格納されているプログラム命令を含む。
【００１２】
図２は、本発明の例示的な実施形態によるプリキャプチャ画像２０５を示す図である。プリキャプチャ画像２０５は、たとえば、デジタル撮像装置１００のライブプレビューモードからのプレビューフレームであってもよい。プレビューフレームを、プリキャプチャ画像２０５における赤目効果の発生を回避するために、ストロボ１２０を使用せずに取り込んでもよい。一実施形態では、プリキャプチャ画像２０５は、シャッタボタン１３０がＳ２位置まで押下されることに応じてデジタル画像が取り込まれる（ストロボ１２０を使用して）前にライブプレビューモード中に取り込まれた最後のプレビューフレームであってもよい。プレビューフレームは、通常、最終的に取り込まれるデジタル画像より解像度が低く、それは、それらは通常、ユーザが写真の構図を決める際にディスプレイ１２５にビデオレートで表示されるためである。赤目補正ロジック１６０が取り込まれたデジタル画像に赤目効果を含む１つ又は複数の領域（「赤目領域」）を識別した場合、プリキャプチャ画像２０５内の探索により、プリキャプチャ画像２０５内に赤目効果がない対応する領域を明らかにすることができる。それらの領域（「虹彩色領域」２１０）は、便宜上、図２では境界を示すボックスで示す。プレビューフレームと取り込まれるデジタル画像との間にわずかな動きがある可能性もあるが、プリキャプチャ画像２０５の虹彩色領域２１０の位置を、プリキャプチャ画像２０５内の局所的な探索を通して達成してもよい。各虹彩色領域２１０内において、赤目補正ロジック１６０によって赤目補正のために使用するために、虹彩色２１５を取得してもよい。
【００１３】
異なる実施形態では、プリキャプチャ画像２０５は、プレビューフレームではなくプリフラッシュ画像であってもよい。プリフラッシュ画像は、基本デジタル画像が取り込まれる直前に低輝度ストロボを使用して取り込まれる画像であり、基本デジタル画像を取り込む際にストロボ１２０を使用するためにより正確に露出を設定するために使用され得る。低輝度ストロボが使用されるため、このような画像は通常赤目効果がなく、虹彩色２１５を取得するために使用してもよい。プレビューフレームと同様に、制御ロジック１５５を、プリフラッシュ画像をメモリ１３５に（たとえば基本デジタル画像と同じデジタル画像ファイルに）保存するように構成してもよい。プリキャプチャ画像２０５としてプレビューフレームの代わりにプリフラッシュ画像を使用することにより、プリフラッシュ画像は過度に暗い可能性がより低く、赤目補正ロジック１６０がプリキャプチャ画像２０５から使用可能な虹彩色２１５を取得することができる可能性が向上するという利点があり得る。
【００１４】
図３Ａは、本発明の例示的な実施形態によるデジタル画像ファイル３０５の図である。図３Ａ及び図３Ｂの矩形は、メモリ１３５等の記憶装置におけるメモリのブロックを表す。図３Ａの実施形態では、デジタル画像ファイル３０５は、基本デジタル画像３１０及び関連するプリキャプチャ画像２０５を含む。実施形態によっては、プリキャプチャ画像２０５の一部のみが基本デジタル画像３１０と共に格納される（すなわち、基本デジタル画像３１０における赤目領域に対応するプリキャプチャ画像２０５のそれらの部分）。他の実施形態では、制御ロジック１５５は、プリキャプチャ画像２０５（又はその１つ若しくは複数の関連部分）を基本デジタル画像３１０とは別個に格納してもよいが、基本デジタル画像３１０及びプリキャプチャ画像２０５は依然として互いに何らかの方法でリンクされるか又は関連付けられ得る。図３Ａに示す形式では、デジタル画像ファイル３０５をデジタル撮像装置１００から、パーソナルコンピュータ（ＰＣ）又はＰＤＡ等の別の電子装置に転送してもよい。虹彩色２１５を組み込む赤目補正を、この詳細な説明において後により完全に説明するように、デジタル撮像装置１００以外の他の電子装置で実行してもよい。
【００１５】
図３Ｂは、本発明の別の例示的な実施形態によるデジタル画像ファイル３０５の図である。図３Ｂに示す実施形態では、デジタル画像ファイル３０５は、基本デジタル画像３１０、虹彩色２１５及び位置指標３１５を含む。簡単のために、図３Ｂでは１つの虹彩色２１５及び位置指標３１５のみを示すが、基本デジタル画像３１０に複数の赤目領域がある場合、基本デジタル画像３１０と共に虹彩色２１５及び位置指標３１５の複数のセットを格納してもよい。位置指標３１５は、所与の虹彩色２１５（プリキャプチャ画像２０５における対応する虹彩色領域２１０から取得される）が関連する、基本デジタル画像内の赤目領域の位置を特定する。たとえば、位置指標３１５は、基本デジタル画像３１０内の所定の原点に対する座標のセットを含んでもよい。図３Ｂに示す実施形態では、制御ロジック１５５は、プリキャプチャ画像２０５をメモリ１３５に保存することができる。赤目補正ロジック１６０（又は実行によっては制御ロジック１５５）は、後に（１）基本デジタル画像３１０における赤目領域を識別し、（２）プリキャプチャ画像２０５における対応する虹彩色領域２１０の位置を特定し、（３）各虹彩色領域２１０から虹彩色２１５を取得し、（４）虹彩色情報を組み込む赤目補正を、デジタル画像ファイル３０５が異なる装置に転送された後まで遅らせて、虹彩色２１５及び対応する位置指標３１５を基本デジタル画像３１０と共に単一のデジタル画像ファイル３０５に保存してもよい。
【００１６】
図４Ａは、本発明の例示的な実施形態による赤目効果を補正する方法のフローチャートである。４０５において、制御ロジック１５５は、シャッタボタン１３０がＳ２位置まで押下される時に、基本デジタル画像３１０を取り込む際のストロボ１２０の使用が差し迫っているか否かを確定してもよい。差し迫っている場合、制御ロジック１５５は、上述したように４１０において任意の人間の顔の検出を実行することができる。４１０において少なくとも一人の人間の顔が検出された場合、４１５において、制御ロジック１５５は、少なくともプリキャプチャ画像２０５の関連部分を自動的に保存することができる。４２０において、デジタル撮像装置１００は、基本デジタル画像３１０を取り込むことができる。４２５において、赤目補正ロジック１６０は、基本デジタル画像３１０に対し、プリキャプチャ画像２０５から導出される虹彩色情報を組み込んで、赤目補正を実行することができる。プロセスは４３０で終了することができる。
【００１７】
虹彩色情報をプリキャプチャ画像２０５から導出し赤目補正に組み込むことができる種々の方法がある。図４Ｂ〜４Ｄは、３個の例示的な実施形態を示す。
【００１８】
図４Ｂは、本発明の例示的な実施形態による、基本デジタル画像３１０の赤目補正にプリキャプチャ画像２０５から導出される虹彩色情報を組み込む方法のフローチャートである。４３５において、赤目補正ロジック１６０は、基本デジタル画像３１０における１つ又は複数の赤目領域を識別することができる。４４０において、赤目補正ロジック１６０は、プリキャプチャ画像２０５における対応する虹彩色領域２１０の位置を特定することができる。４４５において、赤目補正ロジック１６０は、各虹彩色領域２１０から、基本デジタル画像３１０における対応する赤目領域の虹彩色を補正する際に用いる虹彩色２１５を取得することができる。４５０において、赤目補正ロジック１６０は、虹彩色２１５を使用して、基本デジタル画像３１０における１つ又は複数の赤目領域の赤目効果を補正することができる。４５５において、プロセスは終了することができる。
【００１９】
図４Ｃは、本発明の別の例示的な実施形態による、基本デジタル画像３１０の赤目補正にプリキャプチャ画像２０５から導出される虹彩色情報を組み込む方法のフローチャートである。図４Ｃに示す実施形態は、基本デジタル画像３１０の赤目補正に、プリキャプチャ画像２０５から導出される虹彩色情報を組み込む異なる手法を用いる。４３５において、赤目補正１６０は、図４Ｂに関連して説明したように、基本デジタル画像３１０内の赤目領域を識別することができる。４６０において、赤目補正ロジック１６０は、プリキャプチャ画像２０５及び基本デジタル画像３１０の平均輝度を（たとえば線形又は対数のヒストグラムを構成することにより）計算することができる。そして、赤目補正ロジックは、平均輝度を比較することによって比を確定することができる。４６５において、所定の虹彩色２１５（たとえば、黒又は選択される色調の暗いグレー）の輝度を、４６０における輝度比較に従って調整することができる。すなわち、基本デジタル画像３１０におけるストロボ１２０の寄与をプリキャプチャ画像２０５との比較によって確定することができ、それに従って、所定の（一般的な）虹彩色２１５の輝度をより自然に見えるように調整することができる。４７０において、輝度調整された所定の虹彩色２１５を使用して、基本デジタル画像３１０の１つ又は複数の赤目領域における赤目効果を補正することができる。プロセスは４７５で終了することができる。
【００２０】
図４Ｄは、本発明のさらに別の例示的な実施形態による、基本デジタル画像３１０の赤目補正にプリキャプチャ画像２０５から導出される虹彩色情報を組み込む方法のフローチャートである。この実施形態では、図４Ｂ及び図４Ｃに示す技法を結合し、すなわち、プリキャプチャ画像２０５の虹彩色領域２１０から取得される自然な虹彩色２１５の輝度を、４８０におけるプリキャプチャ画像２０５と基本デジタル画像３１０との間の平均輝度の比較に従って調整することができる。この方法で自然な虹彩色２１５の輝度を調整することにより、より自然に見える赤目補正をもたらすことができる。それは、基本デジタル画像３１０におけるストロボ１２０の寄与を考慮するためである。４８５において、プロセスは終了することができる。
【００２１】
図５Ａは、本発明の例示的な実施形態によるコンピューティング装置５００のブロック図である。コンピューティング装置５００は、デスクトップＰＣ、ノートブックコンピュータ、ラップトップコンピュータ、ＰＤＡ、ワークステーション又は他のこのような装置等の多種多様の装置の任意のものであってもよい。図５Ａにおいて、コントローラ５０５は、データバス５１０を介して、ディスプレイ５１５、入力コントロール５２０及びメモリ５２５と通信する。入力コントロール５２０は、たとえばキーボード、マウス、トラックボール、ボタンの（物理的な又は仮想的な）セット、若しくはコンピューティング装置５００の動作を制御する他の入力デバイスを含んでもよい。
【００２２】
図５Ｂは、メモリ５２５の高レベル図である。メモリ５２５は、ＲＡＭ５３０、不揮発性メモリ５３５（たとえばハードディスクドライブ及び光記憶媒体）及び赤目補正ロジック５４０を含んでもよい。赤目補正ロジック５４０を、ハードウェア、ソフトウェア、ファームウェア又はそれらの任意の組合せで実施してもよい。一実施形態では、赤目補正ロジック５４０は、コントローラ５０５によって実行されるファームウェア命令を含む。赤目補正ロジック５４０は、図３Ａ及び図３Ｂにおいて説明したもののようなデジタル画像ファイル３０５に対して、プリキャプチャ画像データから導出される虹彩色情報を組み込むように赤目補正を実行するように動作してもよい。なお、コンピューティング装置５００は画像取込機能（デジタル撮像装置１００の光学系１４０及び撮像モジュール１１５等）を含まなくてもよいということに留意されたい。
【００２３】
図６は、本発明の例示的な実施形態による図５Ａに示すコンピューティング装置５００の動作の方法のフローチャートである。６０５において、コンピューティング装置５００は、デジタル撮像装置１００等（図６における「第１の装置」）によって取り込まれる基本デジタル画像３１０を取得することができる。基本デジタル画像３１０は、図３Ａ及び図３Ｂに関連して説明したように、恐らくは基本デジタル画像３１０と共に単一のデジタル画像ファイル３０５に格納される、付随するプリキャプチャ画像データを有してもよい。付随するプリキャプチャ画像データは、たとえば、プリキャプチャ画像２０５（又はその関連部分）を含んでもよい。別法として、プリキャプチャ画像データは、図３Ｂに関連して説明したように、１つ又は複数の虹彩色２１５及び関連する位置指標３１５を含んでもよい。６１０において、コンピューティング装置５００（図６における「第２の装置」）の赤目補正ロジック５４０は、基本デジタル画像３１０の赤目補正において、付随するプリキャプチャ画像データから導出される虹彩色情報を組み込むことができる。６１５において、プロセスは終了することができる。付随するプリキャプチャ画像データから導出される虹彩色情報の赤目補正への組込みを、図４Ｂ〜図４Ｄに示すもののような方法によって達成してもよい。
【００２４】
本発明の上述した説明は、例示及び説明の目的で提示した。それは、網羅的であるようにも、発明を開示した厳密な形態に限定するようにも意図されておらず、上記教示と照らし合わせて他の変更及び変形が可能であり得る。本発明の原理とその実際的な適用を最もよく例示することにより、当業者が、意図される特定の使用に適するよう、本発明をさまざまな実施形態及びさまざまな変更態様で最もよく利用することができるように、実施形態を選択し説明した。添付の特許請求の範囲は、従来技術によって限定されることを除き本発明の他の代替的な実施形態を含むように解釈されるように意図されている。
【図面の簡単な説明】
【００２５】
【図１Ａ】本発明の例示的な実施形態によるデジタル撮像装置の機能ブロック図である。
【図１Ｂ】本発明の例示的な実施形態による図１Ａに示すデジタル撮像装置のメモリの機能図である。
【図２】本発明の例示的な実施形態による、虹彩色領域が識別され且つ虹彩色が取得されたプリキャプチャ画像を示す図である。
【図３Ａ】本発明の例示的な実施形態によるプリキャプチャ画像を含むデジタル画像ファイルの図である。
【図３Ｂ】本発明の別の例示的な実施形態による虹彩色及び位置指標を含むデジタル画像ファイルの図である。
【図４Ａ】本発明の例示的な実施形態による赤目効果を補正する方法のフローチャートである。
【図４Ｂ】本発明の例示的な実施形態による、基本デジタル画像の赤目補正に、プリキャプチャ画像から導出される虹彩色情報を組み込む方法のフローチャートである。
【図４Ｃ】本発明の別の例示的な実施形態による、基本デジタル画像の赤目補正に、プリキャプチャ画像から導出される虹彩色情報を組み込む方法のフローチャートである。
【図４Ｄ】本発明のさらに別の例示的な実施形態による、基本デジタル画像の赤目補正に、プリキャプチャ画像から導出される虹彩色情報を組み込む方法のフローチャートである。
【図５Ａ】本発明の例示的な実施形態によるコンピューティング装置のブロック図である。
【図５Ｂ】本発明の例示的な実施形態による図５Ａに示すコンピューティング装置のメモリの図である。
【図６】本発明の例示的な実施形態による図５Ａに示すコンピューティング装置の動作の方法のフローチャートである。
【図１Ａ】
2008541509.tif 000002
【図１Ｂ】
2008541509.tif 000003
【図２】
2008541509.tif 000004
【図３Ａ】
2008541509.tif 000005
【図３Ｂ】
2008541509.tif 000006
【図４Ａ】
2008541509.tif 000007
【図４Ｂ】
2008541509.tif 000008
【図４Ｃ】
2008541509.tif 000009
【図４Ｄ】
2008541509.tif 000010
【図５Ａ】
2008541509.tif 000011
【図５Ｂ】
2008541509.tif 000012
【図６】
2008541509.tif 000013
【国際調査報告】
2008541509.tif 000014
2008541509.tif 000015
2008541509.tif 000016